(57)【要約】【課題】住宅内に配置された各電気機器を在宅者個別の体調に適応するように制御する。【解決手段】住宅内機器制御システム１００に、住宅内に配置された一以上の電気機器ＡＣ１、ＡＣ２と、各電気機器ＡＣ１、ＡＣ２を制御可能な制御装置１とを備え、制御装置１は、在宅者の体調に関連するバイタル情報を取得する第一取得部１１と、住宅内外の環境を表す環境情報を取得する第二取得部１２と、第一取得部１１が取得したバイタル情報に基づいて在宅者の体調を評価する評価部１３と、評価部１３による評価結果及び第二取得部１２が取得した環境情報に基づいて各電気機器ＡＣ１、ＡＣ２を制御する制御部１４と、を備える。【選択図】図１
2017042275.tif 000002
【特許請求の範囲】
【請求項１】
住宅内に配置された一以上の電気機器と、
各前記電気機器を制御可能な制御装置とを備え、
前記制御装置は、
在宅者の体調に関連するバイタル情報を取得する第一取得部と、
前記住宅内外の環境を表す環境情報を取得する第二取得部と、
前記第一取得部が取得した前記バイタル情報に基づいて前記在宅者の体調を評価する評価部と、
前記評価部による評価結果及び前記第二取得部が取得した前記環境情報に基づいて各前記電気機器を制御する制御部と、
を備える住宅内機器制御システム。
【請求項２】
前記制御装置は、
前記在宅者が行う行動毎に、当該行動を行う予定の時間帯である行動予定時間帯を予め記憶する記憶部を更に備え、
前記制御部は、
現在時刻が前記記憶部に記憶されているどの前記行動予定時間帯に含まれているかに基づいて、各前記電気機器の制御の内容を変更する請求項１に記載の住宅内機器制御システム。
【請求項３】
前記制御装置は、
前記評価部による評価結果及び前記第二取得部が取得した前記環境情報に基づいて、前記在宅者の体調を向上させるための行動を表す健康アドバイス情報を報知する報知部を更に備える請求項１又は２に記載の住宅内機器制御システム。
【請求項４】
前記報知部は、更に、前記第一取得部が現在までに取得した前記バイタル情報を取得順に報知する請求項３に記載の住宅内機器制御システム。
【請求項５】
前記一以上の電気機器には、前記住宅内の第一室内の空気調和を行う第一空気調和装置が含まれ、
前記第二取得部は、
前記第一室内の室内温度及び相対湿度を前記環境情報として取得し、
前記制御部は、
前記第二取得部が取得した前記第一室内の室内温度及び相対湿度に基づいて前記第一室内の暑さ指数を算出し、前記第一室内の暑さ指数を前記第一空気調和装置を制御するときの制御指標として用いる請求項１から４の何れか一項に記載の住宅内機器制御システム。
【請求項６】
前記制御部は、
前記第一室内の暑さ指数が、前記評価部による評価結果及び当該第一室内の暑さ指数に予め対応付けられた目標暑さ指数になるように、前記第一空気調和装置を制御する請求項５に記載の住宅内機器制御システム。
【請求項７】
前記目標暑さ指数と、前記第一室内の室内温度及び相対湿度の組み合わせと、が一対多の関係で対応付けられており、
前記制御部は、
前記第一室内の室内温度が、前記目標暑さ指数に対応付けられた前記組み合わせのうち、前記第二取得部が取得した前記第一室内の相対湿度を含む前記組み合わせに含まれる前記第一室内の室内温度となるように、前記第一空気調和装置を制御する請求項６に記載の住宅内機器制御システム。
【請求項８】
前記一以上の電気機器には、前記住宅内の前記第一室内とは異なる第二室内の空気調和を行う第二空気調和装置が更に含まれ、
前記第二取得部は、
前記環境情報として前記第二室内の第二室内温度を更に取得し、
前記制御部は、
前記第二取得部が取得した前記第一室内温度と前記第二室内温度との温度差を算出し、前記温度差を前記第一空気調和装置及び前記第二空気調和装置を制御するときの制御指標として用いる請求項５から７の何れか一項に記載の住宅内機器制御システム。
【請求項９】
前記制御部は、
前記温度差が、前記評価部による評価結果及び当該温度差に予め対応付けられた目標温度差未満になるように、前記第一空気調和装置及び前記第二空気調和装置を制御する請求項８に記載の住宅内機器制御システム。
【発明の詳細な説明】
【技術分野】
【０００１】
本発明は、住宅内に配置された一以上の電気機器を統括制御する住宅内機器制御システムに関するものである。
【背景技術】
【０００２】
従来から、温度や相対湿度等の住宅内外の環境を表す環境情報を検出するセンサーを備え、センサーが検出した環境情報に基づいて室内の空気調和を行う空気調和装置が知られている。
【０００３】
例えば、下記特許文献１には、温度センサー及び湿度センサーの検出値と気象情報提供会社から提供された気象情報とに基づき予測した室内の熱中症指数（ＷＢＧＴ値）に基づいて運転スケジュールを設定する空気調和装置が開示されている。これにより、室内で発生しうる熱中症のリスクを考慮して冷房運転を行うことが開示されている。
【０００４】
下記特許文献２には、温度センサーにより検出された建物外の外気温度に連動して、外気温度と室内温度との差が小さくなるように空調機器の設定温度を変化させる空調管理装置が開示されている。これにより、建物外から室内に入った人がヒートショックになるのを防ぐことが開示されている。
【０００５】
また、近年では、住宅内に配置された各電気機器の消費電力量を集中監視し、各電気機器の消費電力量をタブレット端末等の表示装置に一括表示させるホームエネルギーマネージメントシステム（ＨＥＭＳ）の導入が盛んになってきている。
【０００６】
更には、ＥＣＨＯＮＥＴ  Ｌｉｔｅ規格に従った通信によって各電気機器を統括制御するＨＥＭＳも登場してきている。このようなＨＥＭＳとして、例えば、各電気機器の消費電力量が所定の基準値を上回った場合に各電気機器の動作を停止させて自動的に節電を行うＨＥＭＳや、各室内のセンサーの検出値に基づいて、各室内の空気調和装置を統括制御するＨＥＭＳが知られている。
【０００７】
例えば、下記特許文献３には、集合住宅の各住戸に換気設備、空調装置及び人感センサー備え、共用部温度センサーの検出温度が所定値を超えたときに、人感センサーによって在室が検出された場合は換気設備及び空調装置の双方を作動させ、不在が検出された場合は換気設備のみ作動させることで、集合住宅の入居者の熱中症を防止する集合住宅用環境制御システムが開示されている。
【先行技術文献】
【特許文献】
【０００８】
【特許文献１】特開２０１３−１３０３８４号公報
【特許文献２】特開２０１０−１４５０７５号公報
【特許文献３】特開２０１２−２４１９２３号公報
【発明の概要】
【発明が解決しようとする課題】
【０００９】
しかし、上述した従来のＨＥＭＳは、在宅者個別の体調を考慮せずに、住宅内外の環境のみに基づいて住宅内の各電気機器を制御するものであった。このため、上述した従来のＨＥＭＳでは、在宅者が環境の変化に応じて体調が変化しやすい高齢者である場合や、在宅者の体調が良好でない場合であっても、住宅内外の環境のみに基づいて各電気機器の制御を行い、在宅者の体調を悪化させる虞があった。
【００１０】
本発明は、上記事情に鑑みてなされた発明であり、住宅内に配置された各電気機器を在宅者個別の体調に適応するように制御可能な住宅内機器制御システムを提供することを目的とする。
【課題を解決するための手段】
【００１１】
本発明による住宅内機器制御システムは、住宅内に配置された一以上の電気機器と、各前記電気機器を制御可能な制御装置とを備え、前記制御装置は、在宅者の体調に関連するバイタル情報を取得する第一取得部と、前記住宅内外の環境を表す環境情報を取得する第二取得部と、前記第一取得部が取得した前記バイタル情報に基づいて前記在宅者の体調を評価する評価部と、前記評価部による評価結果及び前記第二取得部が取得した前記環境情報に基づいて各前記電気機器を制御する制御部と、を備える。
【００１２】
本構成によれば、第二取得部が取得した環境情報が表す住宅内外の環境だけでなく、第一取得部が取得したバイタル情報に基づく在宅者の体調の評価結果にも基づいて、住宅内の各電気機器が制御される。このため、住宅内外の環境のみに基づいて各電気機器を制御する場合よりも、在宅者個別の体調に適応するように住宅内の各電気機器を制御することができる。
【００１３】
また、前記制御装置は、前記在宅者が行う行動毎に、当該行動を行う予定の時間帯である行動予定時間帯を予め記憶する記憶部を更に備え、前記制御部は、現在時刻が前記記憶部に記憶されているどの前記行動予定時間帯に含まれているかに基づいて、各前記電気機器の制御の内容を変更してもよい。
【００１４】
本構成によれば、更に、在宅者が現在行おうとしている行動に適応するように、住宅内の各電気機器を制御することができる。
【００１５】
また、前記制御装置は、前記評価部による評価結果及び前記第二取得部が取得した前記環境情報に基づいて、前記在宅者の体調を向上させるための行動を表す健康アドバイス情報を報知する報知部を更に備えてもよい。
【００１６】
本構成によれば、報知部によって、在宅者個別の体調及び住宅内外の環境に基づいて健康アドバイス情報が在宅者に報知される。このため、住宅内外の環境のみに基づいて健康アドバイス情報を報知する場合よりも、在宅者個別の体調に適応した健康アドバイス情報を在宅者に報知することができる。これにより、在宅者は、健康アドバイス情報が表す、在宅者個別の体調及び住宅内外の環境に適応した、自身の体調を向上させるための行動を行い易くなる。
【００１７】
また、前記報知部は、更に、前記第一取得部が現在までに取得した前記バイタル情報を取得順に報知することが好ましい。
【００１８】
本構成によれば、第一取得部が現在までに取得したバイタル情報が取得順に報知されるので、在宅者は、自身のバイタル情報の変化に気付き易くなる。その結果、在宅者は、自身の体調の変化に気付き易くなる。
【００１９】
また、前記一以上の電気機器には、前記住宅内の第一室内の空気調和を行う第一空気調和装置が含まれ、前記第二取得部は、前記第一室内の室内温度及び相対湿度を前記環境情報として取得し、前記制御部は、前記第二取得部が取得した前記第一室内の室内温度及び相対湿度に基づいて前記第一室内の暑さ指数を算出し、前記第一室内の暑さ指数を前記第一空気調和装置を制御するときの制御指標として用いてもよい。
【００２０】
本構成によれば、制御部が第一空気調和装置を制御するときの制御指標として、第一室内の室内温度及び相対湿度に基づいて算出された第一室内の暑さ指数が用いられる。
【００２１】
このため、例えば、日本生気象学会により公表されている、熱中症の注意喚起が必要なときの暑さ指数を参考にして、第一室内の暑さ指数の目標値を熱中症の注意喚起が必要ではないときの暑さ指数に定め、第一室内の暑さ指数が当該目標値になるように第一空気調和装置を制御することができる。この場合、第一室内にいる在宅者が熱中症になるリスクを軽減することができる。
【００２２】
このように、本構成によれば、第一室内にいる在宅者の体調が悪化するリスクを第一室内の暑さ指数に応じて適切に軽減することができる。
【００２３】
また、前記制御部は、前記第一室内の暑さ指数が、前記評価部による評価結果及び当該第一室内の暑さ指数に予め対応付けられた目標暑さ指数になるように、前記第一空気調和装置を制御することが好ましい。
【００２４】
本構成によれば、第一室内の暑さ指数が、評価部による評価結果が表す在宅者の体調及び第一室内の暑さ指数が表す第一室内の環境に適応した目標暑さ指数になるように、第一室内の空気を調和することができる。これにより、第一室内にいる在宅者の体調が悪化するリスクを軽減することができる。
【００２５】
また、前記目標暑さ指数と、前記第一室内の室内温度及び相対湿度の組み合わせと、が一対多の関係で対応付けられており、前記制御部は、前記第一室内の室内温度が、前記目標暑さ指数に対応付けられた前記組み合わせのうち、前記第二取得部が取得した前記第一室内の相対湿度を含む前記組み合わせに含まれる前記第一室内の室内温度となるように、前記第一空気調和装置を制御することが好ましい。
【００２６】
本構成によれば、第一室内の室内温度が、目標暑さ指数に対応付けられた複数の組み合わせのうち、第二取得部が取得した第一室内の相対湿度を含む組み合わせに含まれる第一室内の室内温度となるように、第一空気調和装置が制御される。このため、第一室内の相対湿度を一定に維持しながら、第一室内の暑さ指数が目標暑さ指数になるように第一空気調和装置を制御することができる。
【００２７】
また、前記一以上の電気機器には、前記住宅内の前記第一室内とは異なる第二室内の空気調和を行う第二空気調和装置が更に含まれ、前記第二取得部は、前記環境情報として前記第二室内の第二室内温度を更に取得し、前記制御部は、前記第二取得部が取得した前記第一室内温度と前記第二室内温度との温度差を算出し、前記温度差を前記第一空気調和装置及び前記第二空気調和装置を制御するときの制御指標として用いてもよい。
【００２８】
本構成によれば、制御部が第一空気調和装置及び第二空気調和装置を制御するときの制御指標として、第一室内温度と第二室内温度との温度差が用いられる。
【００２９】
このため、例えば、上記温度差の目標値を、ヒートショックになるリスクが少ないと考えられるときの温度差に定めることができる。そして、上記温度差が当該目標値よりも小さくなるように、第一空気調和装置及び第二空気調和装置を制御することができる。この場合、第一室内（第二室内）から第二室内（第一室内）に移動した在宅者が、ヒートショックになるリスクを軽減することができる。
【００３０】
このように、本構成によれば、第一室内（第二室内）から第二室内（第一室内）に移動した在宅者の体調が悪化するリスクを、第一室内室内温度と第二室内室内温度との温度差に応じて適切に軽減することができる。
【００３１】
また、前記制御部は、前記温度差が、前記評価部による評価結果及び当該温度差に予め対応付けられた目標温度差未満になるように、前記第一空気調和装置及び前記第二空気調和装置を制御することが好ましい。
【００３２】
本構成によれば、第一室内温度と第二室内温度との温度差が、評価部による評価結果が示す在宅者の体調並びに前記温度差が示す第一室内の室内温度と第二室内の室内温度との温度差に適応した目標温度差未満になるように、第一室内及び第二室内の空気を調和することができる。これにより、第一室内（第二室内）から第二室内（第一室内）に移動した在宅者の体調が、第一室内の室内温度と第二室内の室内温度との温度差が原因で悪化するリスクを軽減することができる。
【発明の効果】
【００３３】
本発明によれば、住宅内に配置された各電気機器を在宅者個別の体調に適応するように制御可能な住宅内機器制御システムを提供することができる。
【図面の簡単な説明】
【００３４】
【図１】住宅内機器制御システムの概略構成図である。
【図２】バイタル情報の入力画面の一例を示す図である。
【図３】住宅外の環境を表す環境情報の入力画面の一例を示す図である。
【図４】評価部が在宅者の体調の評価に用いる二つの表の一例を示す図である。
【図５】報知部が報知する対象の健康アドバイス情報の決定に用いる表の一例を示す図である。
【図６】健康アドバイス情報の表示画面の一例を示す図である。
【図７】暑さ指数の算出に用いられる表を示す図である。
【図８】住宅内機器制御システムの動作を示すフローチャートである。
【図９】制御部が目標暑さ指数の決定に用いる表の一例を示す図である。
【図１０】住宅内機器制御システムの動作を示すフローチャートである。
【図１１】制御部が第一空気調和装置及び第二空気調和装置の制御の目標の決定に用いる表の一例を示す図である。
【発明を実施するための形態】
【００３５】
以下、本発明に係る住宅内機器制御システムの一実施形態について図面に基づいて説明する。図１は、住宅内機器制御システム１００の概略構成図である。
【００３６】
図１に示すように、住宅内機器制御システム１００は、住宅内のリビングＲ１内（第一室内）や浴室Ｒ２内（第二室内）等に配置された一以上の電気機器と、外気温センサーＴＳ０と、生体センサーＢＳと、制御装置１と、を備えている。本実施形態では、住宅内に配置された一以上の電気機器として、リビングＲ１内に配置された電気機器及び浴室Ｒ２内に配置された電気機器について詳述し、他の室内に配置された電気機器についての説明は省略する。
【００３７】
リビングＲ１内には、温度センサーＴＳ１、湿度センサーＨＳ１、及びエアコンＡＣ１（第一空気調和装置、電気機器）等の電気機器が配置されている。
【００３８】
温度センサーＴＳ１は、リビングＲ１内の室内温度を定期的（例えば１分毎）に検出する。温度センサーＴＳ１は、Ｗｉ−Ｆｉ（Ｗｉｒｅｌｅｓｓ  Ｆｉｄｅｌｉｔｙ）やＢｌｕｅｔｏｏｔｈ（登録商標）等の無線通信規格に従って制御装置１との間で無線通信を行う機能を有する。温度センサーＴＳ１は、検出した各室内温度を当該無線通信により制御装置１へ送信する。
【００３９】
湿度センサーＨＳ１は、リビングＲ１内の相対湿度を定期的（例えば１分毎）に検出する。湿度センサーＨＳ１は、Ｗｉ−ＦｉやＢｌｕｅｔｏｏｔｈ等の無線通信規格に従って制御装置１との間で無線通信を行う機能を有する。湿度センサーＨＳ１は、検出した各相対湿度を当該無線通信により制御装置１へ送信する。
【００４０】
エアコンＡＣ１は、冷房運転又は暖房運転を行うことにより、リビングＲ１内の空気を冷やす又は暖める（空気調和を行う）。エアコンＡＣ１は、ＥＣＨＯＮＥＴ  Ｌｉｔｅ規格に従って制御装置１との間で通信を行う機能を有する。エアコンＡＣ１は、当該通信を行うことにより、制御装置１による制御の下でも動作する。
【００４１】
浴室Ｒ２内には、温度センサーＴＳ２、湿度センサーＨＳ２、及び浴室乾燥機ＡＣ２（第二空気調和装置、電気機器）等の電気機器が配置されている。
【００４２】
温度センサーＴＳ２は、浴室Ｒ２内の室内温度を定期的（例えば１分毎）に検出する。温度センサーＴＳ２は、Ｗｉ−ＦｉやＢｌｕｅｔｏｏｔｈ等の無線通信規格に従って制御装置１との間で無線通信を行う機能を有する。温度センサーＴＳ２は、検出した各室内温度を当該無線通信により制御装置１へ送信する。
【００４３】
湿度センサーＨＳ２は、浴室Ｒ２内の相対湿度を定期的（例えば１分毎）に検出する。湿度センサーＨＳ２は、Ｗｉ−ＦｉやＢｌｕｅｔｏｏｔｈ等の無線通信規格に従って制御装置１との間で無線通信を行う機能を有する。湿度センサーＨＳ２は、検出した各相対湿度を当該無線通信により制御装置１へ送信する。
【００４４】
浴室乾燥機ＡＣ２は、暖房運転を行うことにより、浴室Ｒ２内の空気を暖める（空気調和を行う）。浴室乾燥機ＡＣ２は、ＥＣＨＯＮＥＴ  Ｌｉｔｅ規格に従って制御装置１との間で通信を行う機能を有する。浴室乾燥機ＡＣ２は、当該通信を行うことにより、制御装置１による制御の下でも動作する。
【００４５】
外気温センサーＴＳ０は、住宅の外壁等に設けられ、住宅外の気温（以下、外気温）を定期的（例えば１分毎）に検出する。外気温センサーＴＳ０は、Ｗｉ−ＦｉやＢｌｕｅｔｏｏｔｈ等の無線通信規格に従って制御装置１との間で無線通信を行う機能を有する。外気温センサーＴＳ０は、検出した外気温を当該無線通信により制御装置１へ送信する。
【００４６】
生体センサーＢＳは、体調判定の指標となるバイタル情報を測定するセンサーである。バイタル情報には、最高血圧、最低血圧、脈伯及び体温が含まれる。生体センサーＢＳは、ＵＳＢ（Ｕｎｉｖｅｒｓａｌ  Ｓｅｒｉａｌ  Ｂｕｓ）端子を備えている。生体センサーＢＳは、当該ＵＳＢ端子と制御装置１が備えるＵＳＢ端子とに接続されたＵＳＢケーブルを介して、ＵＳＢ規格に従って制御装置１との間で有線通信を行う機能を有する。生体センサーＢＳは、当該有線通信により、制御装置１からバイタル情報の測定指示を受信すると、バイタル情報の測定を開始し、当該測定の終了後、測定結果を制御装置１へ返信する。
【００４７】
尚、生体センサーＢＳは、Ｗｉ−ＦｉやＢｌｕｅｔｏｏｔｈ等の無線通信規格に従って制御装置１との間で無線通信を行う機能を有していてもよい。これに合わせて、当該生体センサーＢＳは、当該無線通信により、制御装置１からバイタル情報の測定指示を受信し、測定結果を制御装置１へ返信してもよい。
【００４８】
制御装置１は、インターフェイス部２０と、記憶部３０と、操作表示部４０と、本体制御部１０と、を備えている。インターフェイス部２０、記憶部３０及び操作表示部４０は、不図示の制御バスを介して本体制御部１０との間で通信可能に接続されている。
【００４９】
インターフェイス部２０は、上述のように、Ｗｉ−ＦｉやＢｌｕｅｔｏｏｔｈ等の無線通信規格、ＥＣＨＯＮＥＴ  Ｌｉｔｅ規格及びＵＳＢ規格に従って、制御装置１が温度センサーＴＳ１等の外部の各電気機器と通信を行うための不図示の各種通信インターフェイス回路を備えている。
【００５０】
記憶部３０は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置である。
【００５１】
操作表示部４０は、液晶ディスプレイ等の表示部４１と、操作部４２と、を備えている。操作部４２は、表示部４１に表示されたソフトキーのタッチ操作を行うための不図示のタッチパネル装置によって構成されている。
【００５２】
本体制御部１０は、制御装置１の各部の動作を制御する。具体的には、本体制御部１０は、所定の演算処理を実行する不図示のＣＰＵ（Ｃｅｎｔｒａｌ  Ｐｒｏｃｅｓｓｉｎｇ  Ｕｎｉｔ）、所定の制御プログラムが記憶されたＥＥＰＲＯＭ等の不図示の不揮発性メモリー、データを一時的に記憶するための不図示のＲＡＭ（Ｒａｎｄｏｍ  Ａｃｃｅｓｓ  Ｍｅｍｏｒｙ）、現在日時を計時する不図示のタイマー回路、及びこれらの周辺回路等を備えている。
【００５３】
本体制御部１０は、不揮発性メモリー等に記憶された制御プログラムをＣＰＵに実行させることにより、第一取得部１１、第二取得部１２、評価部１３、制御部１４、報知部１５として動作する。
【００５４】
第一取得部１１は、在宅者の体調に関連するバイタル情報を取得する。バイタル情報には、最高血圧、最低血圧、脈伯及び体温が含まれる。
【００５５】
図２は、バイタル情報の入力画面Ｗ１の一例を示す図である。具体的には、第一取得部１１は、図２に示すバイタル情報の入力画面Ｗ１を表示部４１に表示する。入力画面Ｗ１には、最高血圧の入力欄Ｎ１１、最低血圧の入力欄Ｎ１２、脈拍の入力欄Ｎ１３、及び体温の入力欄Ｎ１４が設けられている。また、入力画面Ｗ１には、ソフトキーとして、自動入力ボタンＢ１１、キャンセルボタンＢ１２、完了ボタンＢ１３が設けられている。
【００５６】
各入力欄Ｎ１１〜Ｎ１４がタッチ操作されると、第一取得部１１は、数値「０」〜「９」及び小数点「．」等を表す不図示のソフトキー（以下、テンキー）を表示する。テンキーがタッチ操作されると、第一取得部１１は、当該テンキーが示す数値又は小数点を上記のタッチ操作された入力欄に入力する。例えば、図２は、最高血圧の入力欄Ｎ１１がタッチ操作された後、数値「１」、「２」、「３」を表すテンキーが順次タッチ操作された結果、入力欄Ｎ１１に数値「１２３」が入力された例を示している。
【００５７】
自動入力ボタンＢ１１がタッチ操作されると、第一取得部１１は、インターフェイス部２０を制御し、バイタル情報の測定指示を生体センサーＢＳへ送信する。これに応じて、生体センサーＢＳは、バイタル情報の測定を開始し、当該測定の終了後、測定結果を返信する。生体センサーＢＳが返信したバイタル情報の測定結果がインターフェイス部２０により受信されると、第一取得部１１は、当該受信された測定結果に含まれる最高血圧、最低血圧、脈伯及び体温を各入力欄Ｎ１１〜Ｎ１４に入力する。
【００５８】
キャンセルボタンＢ１２がタッチ操作されると、第一取得部１１は、入力画面Ｗ１の表示部４１への表示を終了する。
【００５９】
完了ボタンＢ１３がタッチ操作されると、第一取得部１１は、入力欄Ｎ１１〜Ｎ１４に入力された最高血圧、最低血圧、脈伯及び体温を、在宅者の体調を表すバイタル情報として取得する。また、第一取得部１１は、バイタル情報を取得する度に、当該取得したバイタル情報を、上記タイマー回路によって計時された現在日時と対応付けて記憶部３０に記憶する。
【００６０】
第二取得部１２は、住宅内外の環境を表す環境情報を取得する。環境情報には、住宅外の天気及び気温（外気温）並びに住宅内の各室内の室内温度及び相対湿度が含まれる。
【００６１】
具体的には、インターフェイス部２０は、外気温センサーＴＳ０によって定期的に送信される外気温を受信する。第二取得部１２は、インターフェイス部２０が外気温センサーＴＳ０によって送信された外気温を受信する度に、当該受信した外気温を記憶部３０に記憶する。
【００６２】
これと同様にして、第二取得部１２は、インターフェイス部２０が温度センサーＴＳ１、ＴＳ２、湿度センサーＨＳ１、ＨＳ２によって送信されたリビングＲ１内、浴室Ｒ２内の室内温度、リビングＲ１内、浴室Ｒ２内の相対湿度を受信する度に、当該受信したリビングＲ１内、浴室Ｒ２内の室内温度、リビングＲ１内、浴室Ｒ２内の相対湿度を記憶部３０に記憶する。
【００６３】
図３は、住宅外の環境を表す環境情報の入力画面Ｗ２の一例を示す図である。また、第二取得部１２は、図３に示す住宅外の環境を表す環境情報の入力画面Ｗ２を表示部４１に表示する。入力画面Ｗ２には、天気の入力欄Ｎ２１、外気温の入力欄Ｎ２２が設けられている。また、入力画面Ｗ２には、ソフトキーとして、キャンセルボタンＢ２２、完了ボタンＢ２３が設けられている。
【００６４】
入力欄Ｎ２１がタッチ操作されると、第二取得部１２は、天気「晴れ」、「曇り」、「雨」を表す不図示のソフトキー（以下、天気キー）を表示する。天気キーがタッチ操作されると、第二取得部１２は、当該天気キーが示す天気を入力欄Ｎ２１に入力する。例えば、図３は、入力欄Ｎ２１がタッチ操作された後、天気「晴れ」を示す天気キーがタッチ操作された結果、入力欄Ｎ２１に天気「晴れ」が入力された例を示している。
【００６５】
また、第二取得部１２は、入力画面Ｗ２の表示時に、記憶部３０に最も直近に記憶した外気温を入力欄Ｎ２２に入力する。例えば、図３は、入力欄Ｎ２２に外気温「３５（℃）」が入力された例を示している。尚、第二取得部１２は、入力画面Ｗ２の表示後、入力欄Ｎ２２がタッチ操作されると、上記テンキーを表示し、テンキーがタッチ操作されると、当該テンキーが示す数値又は小数点を入力欄Ｎ２２に入力する。
【００６６】
キャンセルボタンＢ２２がタッチ操作されると、第二取得部１２は、入力画面Ｗ２の表示を終了する。
【００６７】
完了ボタンＢ２３がタッチ操作されると、第二取得部１２は、入力欄Ｎ２１、Ｎ２２に入力された天気、外気温を住宅外の環境を表す環境情報として取得する。また、第二取得部１２は、最も直近に記憶部３０に記憶したリビングＲ１内、浴室Ｒ２内の室内温度、リビングＲ１内、浴室Ｒ２内の相対湿度を住宅内の環境を表す環境情報として取得する。
【００６８】
図１に参照を戻す。評価部１３は、第一取得部１１が取得したバイタル情報に基づいて在宅者の体調を評価する。図４は、評価部１３が在宅者の体調の評価に用いる二つの表の一例を示す図である。具体的には、評価部１３は、記憶部３０に予め記憶されている図４（ａ）及び図４（ｂ）に示す二つの表を用いて在宅者の体調を評価する。
【００６９】
評価部１３は、先ず、図４（ａ）に示す表を用いて、第一取得部１１が取得したバイタル情報に含まれる血圧、脈伯及び体温がそれぞれ良好であるか否かを評価する。図４（ａ）に示す表は、最高血圧、最低血圧、脈伯及び体温がそれぞれ良好であるときの基準値を定めた表である。
【００７０】
具体的には、評価部１３は、第一取得部１１が取得した最高血圧が、最高血圧の基準値である１２５ｍｍＨｇ未満の場合、最高血圧が良好であると評価する。また、評価部１３は、第一取得部１１が取得した最低血圧が、最低血圧の基準値である８０ｍｍＨｇ未満の場合、最低血圧が良好であると評価する。そして、評価部１３は、最高血圧及び最低血圧が共に良好であると評価した場合に、血圧が良好であると評価する。
【００７１】
評価部１３は、第一取得部１１が取得した脈拍が、脈拍の基準値である６０以上８０以下の場合、脈拍が良好であると評価する。
【００７２】
評価部１３は、現在日時よりも過去の所定期間（例えば、過去一週間）の日時と対応付けて記憶部３０に記憶されている各バイタル情報に含まれている体温を読み出し、当該読み出した体温の平均値を算出する。そして、評価部１３は、第一取得部１１が取得した体温が、体温の基準値である上記平均値±０．８４℃以内の場合、つまり、第一取得部１１が取得した体温と当該算出した平均値との差が０．８４℃以内である場合、体温が良好であると評価する。
【００７３】
更に、評価部１３は、図４（ｂ）に示す表を用いて在宅者の体調レベルを評価する。図４（ｂ）に示す表は、評価部１３が先に行った血圧、脈拍、及び体温の各評価において良好であると評価した個数と、在宅者の体調レベルと、を対応付けた表である。
【００７４】
具体的には、評価部１３は、先に行った血圧、脈拍、及び体温の各評価において良好と評価した個数が３個であった場合、在宅者の体調レベルが「３」であると評価する。同様に、評価部１３は、良好と評価した個数が２個、１個、０個であった場合、在宅者の体調レベルが「２」、「１」、「０」であると評価する。
【００７５】
制御部１４は、評価部１３による評価結果及び第二取得部１２が取得した環境情報に基づいて、エアコンＡＣ１及び浴室乾燥機ＡＣ２を制御する。制御部１４の詳細については後述する。
【００７６】
報知部１５は、評価部１３による評価結果及び第二取得部１２が取得した環境情報に基づいて、在宅者の体調を向上させるための行動を表す健康アドバイス情報を報知する。
【００７７】
図５は、報知部１５が報知する対象の健康アドバイス情報の決定に用いる表の一例を示す図である。具体的には、報知部１５は、図５に示す表を用いて、評価部１３による評価結果及び第二取得部１２が取得した環境情報に適応した健康アドバイス情報を決定し、当該決定した健康アドバイス情報を表示部４１に表示する。
【００７８】
図５に示す表は、評価部１３による血圧、脈拍及び体温の評価結果と、第二取得部１２が取得した環境情報が表す環境と、当該評価結果及び当該環境に適応した健康アドバイス情報と、を対応付けた表である。図５に示す表は、記憶部３０に予め記憶されている。
【００７９】
例えば、評価部１３によって、脈拍が良好でない（不良である）と評価されたとする。また、第二取得部１２が取得した環境情報に含まれる天気が晴れであり、外気温が２５℃未満であったとする。この場合、報知部１５は、図５に示す表において、評価結果「脈拍が不良」及び環境「天気＝晴れ、外気温＜２５℃」に対応付けられた健康アドバイス情報Ａ２を、報知する対象の健康アドバイス情報として決定する。
【００８０】
図６は、健康アドバイス情報の表示画面Ｗ３の一例を示す図である。そして、図６に示すように、報知部１５は、上記決定した健康アドバイス情報Ａ２が表示された表示画面Ｗ３を表示部４１に表示する。これにより、報知部１５は、健康アドバイス情報Ａ２を報知する。尚、操作表示部４０に音声を出力するスピーカーを設けてもよい。そして、報知部１５は、上記決定した健康アドバイス情報を表す音声を当該スピーカーに出力させることで、健康アドバイス情報を報知するようにしてもよい。
【００８１】
一方、評価部１３によって、脈拍が不良であると評価されたが、第二取得部１２が取得した環境情報に含まれる天気が晴れではない、又は、当該環境情報に含まれる外気温が２５℃以上であったとする。この場合、報知部１５は、図５に示す表において、評価結果「脈拍が不良」及び環境「その他」に対応付けられた健康アドバイス情報Ａ３を、報知する対象の健康アドバイス情報として決定する。
【００８２】
また、評価部１３によって、血圧が良好でない（不良である）と評価された場合、報知部１５は、第二取得部１２が取得した環境情報がどのような環境を表していたとしても、図５に示す表において、評価結果「血圧が不良」及び環境「全環境」に対応付けられた健康アドバイス情報Ａ１を、報知する対象の健康アドバイス情報として決定する。
【００８３】
同様に、評価部１３によって、体温が良好でない（不良である）と評価された場合も、報知部１５は、第二取得部１２が取得した環境情報がどのような環境を表していたとしても、図５に示す表において、評価結果「体温が不良」及び環境「全環境」に対応付けられた健康アドバイス情報Ａ４を、報知する対象の健康アドバイス情報として決定する。
【００８４】
また、評価部１３によって、血圧、脈拍、及び体温の全てが良好と評価され、つまり、体調レベルが「３」と評価されたとする。この場合、報知部１５は、第二取得部１２が取得した環境情報に含まれるリビングＲ１内の室内温度及び相対湿度に基づいて、リビングＲ１内の暑さ指数（ＷＢＧＴ値）を算出する。
【００８５】
図７は、暑さ指数の算出に用いられる表を示す図である。具体的には、報知部１５は、図７に示す表を用いて、リビングＲ１内の室内温度及び相対湿度に対応するリビングＲ１内の暑さ指数を算出する。図７に示す表は、日本生気象学会により公表された「日常生活における熱中症予防指針」に掲載された表であり、気温（縦軸）及び相対湿度（横軸）の組み合わせと暑さ指数（ＷＢＧＴ値）とを対応付ける表となっている。図７に示す表は、記憶部３０に予め記憶されている。
【００８６】
例えば、第二取得部１２が取得したリビングＲ１内の室内温度が３２℃であり、相対湿度が７０％であったとする。この場合、報知部１５は、リビングＲ１内の室内温度を図７の表に示す気温であるとし、図７に示す表において、気温「３２（℃）」及び相対湿度「７０（％）」に対応付けられた「３１（℃）」（図７の表における実線楕円部）を、リビングＲ１内の暑さ指数として算出する。
【００８７】
図５に参照を戻す。評価部１３によって血圧、脈拍、及び体温の全てが良好と評価された（体調レベルが「３」と評価された）場合に、図７を用いて算出したリビングＲ１内の暑さ指数が３１℃以上であったとする。この場合、報知部１５は、図５に示す表において、評価結果「血圧・脈拍・体温全て良好」及び環境「３１℃≦暑さ指数」に対応付けられた健康アドバイス情報Ａ５を、報知する対象の健康アドバイス情報として決定する。
【００８８】
また、評価部１３によって血圧、脈拍及び体温の全てが良好と評価された（体調レベルが「３」と評価された）場合に、図７を用いて算出したリビングＲ１内の暑さ指数が２８℃以上３１℃未満であったとする。この場合、報知部１５は、図５に示す表において、評価結果「血圧・脈拍・体温全て良好」及び環境「２８℃≦暑さ指数＜３１℃」に対応する健康アドバイス情報Ａ６を、報知する健康アドバイス情報として決定する。
【００８９】
次に、住宅内機器制御システム１００の動作について説明する。当該説明の中で、制御部１４の詳細について説明する。図８は、住宅内機器制御システム１００の動作を示すフローチャートである。
【００９０】
図８に示すように、先ず、第一取得部１１は、上述のようにして、バイタル情報を取得する（Ｓ１）。第二取得部１２は、上述のようにして、住宅内外の環境を表す環境情報を取得する（Ｓ２）。評価部１３は、上述のようにして、ステップＳ１で取得されたバイタル情報に基づいて在宅者の体調を評価する（Ｓ３）。そして、報知部１５は、上述のようにして、ステップＳ３の評価結果及びステップＳ２で取得された環境情報に基づいて健康アドバイス情報を報知する（Ｓ４）。
【００９１】
次に、制御部１４は、上記タイマー回路によって計時された現在日付に基づいて季節が夏であるか冬であるかを判定する（Ｓ５）。
【００９２】
具体的には、記憶部３０には、夏、冬のそれぞれに対応する期間が記憶されている。例えば、夏と対応付けて６月１日から９月３０日までの期間が対応付けられ、冬と対応付けて１１月１日から３月３１日までの期間が対応付けられている。
【００９３】
制御部１４は、ステップＳ５において、上記タイマー回路によって計時された現在日付が、記憶部３０に夏と対応付けて記憶されている期間内にある場合は、季節が夏であると判定する（Ｓ５；夏）。同様に、制御部１４は、上記タイマー回路によって計時された現在日付が、記憶部３０に冬と対応付けて記憶されている期間内にある場合は、季節が冬であると判定する（Ｓ５；冬）。
【００９４】
ステップＳ５において季節が夏であると判定したとする（Ｓ５；夏）。この場合、制御部１４は、ステップＳ２で第二取得部１２が取得した環境情報に含まれるリビングＲ１内の室内温度及び相対湿度に基づいて、エアコンＡＣ１を制御するときの制御指標として用いるリビングＲ１内の暑さ指数を算出する（Ｓ６）。
【００９５】
具体的には、制御部１４は、報知部１５による上述のリビングＲ１内の暑さ指数の算出方法と同様に、ステップＳ２で第二取得部１２が取得したリビングＲ１内の室内温度を、図７の表に示す気温であるとする。そして、制御部１４は、図７に示す表において、当該気温（リビングＲ１内の室内温度）及びステップＳ２で取得されたリビングＲ１内の相対湿度の組み合わせに対応付けられた暑さ指数をリビングＲ１内の暑さ指数として算出する。
【００９６】
次に、制御部１４は、ステップＳ３における評価部１３による評価結果及びステップＳ６で算出したリビングＲ１内の暑さ指数に基づいて、リビングＲ１内の暑さ指数の目標値（以下、目標暑さ指数）を決定する（Ｓ７）。
【００９７】
図９は、制御部１４が目標暑さ指数の決定に用いる表の一例を示す図である。具体的には、ステップＳ７において、制御部１４は、図９に示す表を用いて目標暑さ指数を決定する。図９に示す表は、評価部１３により評価された在宅者の体調レベル及び第二取得部１２が取得した環境情報が表す環境と、目標暑さ指数と、を対応付けた表である。図９に示す表は、記憶部３０に予め記憶されている。
【００９８】
例えば、ステップＳ３において在宅者の体調レベルが「３」であると評価されたとする。また、ステップＳ２において取得された環境情報に含まれるリビングＲ１内の室内温度が３２℃であり、当該環境情報に含まれる相対湿度が７０％であったとする。その結果、ステップＳ６において、リビングＲ１内の暑さ指数が「３１（℃）」（図７の表における実線楕円部）と算出されたとする。この場合、制御部１４は、図９に示す表において、体調レベル「３」及び環境「暑さ指数≧２５℃」に対応付けられた目標暑さ指数「２４℃」を目標暑さ指数として決定する。
【００９９】
また、ステップＳ２において取得された環境情報に含まれるリビングＲ１内の室内温度が２５℃であり、当該環境情報に含まれる相対湿度が７０％であったとする。その結果、ステップＳ６において、リビングＲ１内の暑さ指数が「２４（℃）」（図７の表における点線楕円部）と算出されたとする。
【０１００】
この場合、制御部１４は、ステップＳ３において評価された在宅者の体調レベルが「０」〜「３」の何れであっても、図９に示す表において、体調レベル「０〜３」及び環境「暑さ指数＜２５℃」に対応付けられた目標暑さ指数「何もしない」を目標暑さ指数として決定する。
【０１０１】
図８に参照を戻す。制御部１４は、ステップＳ７で決定した目標暑さ指数が「何もしない」である場合（Ｓ８；ＹＥＳ）、エアコンＡＣ１の制御を行わずに、処理を終了する。
【０１０２】
一方、制御部１４は、ステップＳ７で決定した目標暑さ指数が「何もしない」ではない場合（Ｓ８；ＮＯ）、リビングＲ１内の暑さ指数が、ステップＳ７で決定した目標暑さ指数になるように、エアコンＡＣ１を制御する（Ｓ９）。
【０１０３】
以下、ステップＳ９におけるエアコンＡＣ１の制御について詳細に説明する。尚、当該説明では、上述のように、在宅者の体調レベルが「３」であると評価され、リビングＲ１内の室内温度が３２℃であり、相対湿度が７０％であるとする。これにより、リビングＲ１内の暑さ指数が「３１（℃）」と算出され、目標暑さ指数が「２４（℃）」に決定されたとする。
【０１０４】
この場合、図７の表に示すように、目標暑さ指数「２４（℃）」は、図７の網掛部に示す１７個のリビングＲ１内の室内温度及び相対湿度の組み合わせと対応付けられている。つまり、目標暑さ指数と、リビングＲ１内の室内温度及び相対湿度の組み合わせとが、一対多の関係で対応付けられている。
【０１０５】
この場合、制御部１４は、目標暑さ指数「２４（℃）」に対応付けられた１７個の組み合わせのうち、ステップＳ２において第二取得部１２が取得した相対湿度「７０（％）」を含む組み合わせ（図７の点線楕円部）を選択する。そして、制御部１４は、リビングＲ１内の室内温度が、当該選択した組み合わせに含まれるリビングＲ１内の室内温度「２５（℃）」となるように、エアコンＡＣ１を制御する。
【０１０６】
具体的には、制御部１４は、インターフェイス部２０を制御し、上記選択した組み合わせに含まれるリビングＲ１内の室内温度「２５℃」を冷房運転時の室内の目標温度として設定する指示をエアコンＡＣ１へ送信する。エアコンＡＣ１は、当該指示を受信すると室内の目標温度を「２５℃」に設定して冷房運転を行う。
【０１０７】
図８に参照を戻す。ステップＳ９の後は、ステップＳ１０が行われる。ステップＳ１０では、先ず、第二取得部１２が、最も直近に記憶部３０に記憶したリビングＲ１内の室内温度及び相対湿度をリビングＲ１内の現在の環境を表す環境情報として取得する。そして、制御部１４は、ステップＳ６と同様の方法で、第二取得部１２がリビングＲ１内の現在の環境を表す環境情報として取得したリビングＲ１内の室内温度及び相対湿度に対応するリビングＲ１内の暑さ指数を算出する。そして、制御部１４は、当該算出した暑さ指数がステップＳ７で決定した目標暑さ指数に到達しているか否かを判定する（Ｓ１０）。
【０１０８】
制御部１４は、ステップＳ１０において、リビングＲ１内の暑さ指数がステップＳ７で決定した目標暑さ指数に到達していないと判定した場合（Ｓ１０；ＮＯ）、ステップＳ７以降の処理を繰り返す。尚、制御部１４は、ステップＳ１０の後に行うステップＳ７では、ステップＳ６で算出したリビングＲ１内の暑さ指数に代えて、当該ステップＳ７の直前に行ったステップＳ１０で算出したリビングＲ１内の暑さ指数を用いて目標暑さ指数を決定する。
【０１０９】
その後、制御部１４は、ステップＳ１０において、リビングＲ１内の暑さ指数がステップＳ７で決定した目標暑さ指数に到達したと判定した場合（Ｓ１０；ＹＥＳ）、処理を終了する。
【０１１０】
図１０は、住宅内機器制御システムの動作の一例を示すフローチャートである。一方、制御部１４は、ステップＳ５において季節が冬であると判定した場合（Ｓ５；冬）、図１０に示すステップＳ２１を行う。ステップＳ２１において、制御部１４は、エアコンＡＣ１及び浴室乾燥機ＡＣ２を制御するときの制御指標として用いる、ステップＳ２で第二取得部１２が取得した環境情報に含まれるリビングＲ１内の室内温度と、当該環境情報に含まれる浴室Ｒ２内の室内温度と、の温度差を算出する（Ｓ２１）。
【０１１１】
次に、制御部１４は、ステップＳ３における評価部１３による評価結果及びステップＳ２で取得された環境情報に基づいて、エアコンＡＣ１及び浴室乾燥機ＡＣ２の制御の目標を決定する（Ｓ２２）。
【０１１２】
図１１は、制御部１４がエアコンＡＣ１及び浴室乾燥機ＡＣ２の制御の目標の決定に用いる表の一例を示す図である。具体的には、ステップＳ２２において、制御部１４は、図１１に示す表を用いてエアコンＡＣ１及び浴室乾燥機ＡＣ２の制御の目標を決定する。
【０１１３】
図１１に示す表は、評価部１３により評価された在宅者の体調レベル及び第二取得部１２が取得した環境情報が表す環境と、エアコンＡＣ１及び浴室乾燥機ＡＣ２の制御の目標と、を対応付けた表である。図１１に示す表は、記憶部３０に予め記憶されている。
【０１１４】
例えば、ステップＳ３において在宅者の体調レベルが「０」であると評価されたとする。この場合、制御部１４は、第二取得部１２が取得した環境情報がどのような環境を表していたとしても、図１１に示す表において、体調レベル「０」及び環境「全環境」に対応付けられたエアコン制御の目標「室内温度＝２３℃」を、エアコンＡＣ１の制御の目標として決定する。また、制御部１４は、図１１に示す表において、体調レベル「０」及び環境「全環境」に対応付けられた浴室乾燥機制御の目標「入浴３０分前にＯＮ」を、浴室乾燥機ＡＣ２の制御の目標として決定する。
【０１１５】
同様に、制御部１４は、ステップＳ３において在宅者の体調レベルが「１」、「２」であると評価された場合、図１１に示す表において、体調レベル「１」、「２」及び環境「全環境」に対応付けられたエアコン制御の目標「室内温度＝２２℃」、「室内温度＝２２℃」をエアコンＡＣ１の制御の目標として決定し、体調レベル「１」、「２」及び環境「全環境」に対応付けられた浴室乾燥機制御の目標「入浴３０分前にＯＮ」を浴室乾燥機ＡＣ２の制御の目標として決定する。
【０１１６】
また、ステップＳ３において在宅者の体調レベルが「３」であると評価され、ステップＳ２１において算出された温度差が５℃以上であったとする。この場合、制御部１４は、図１１に示す表において、体調レベル「３」及び環境「リビングと浴室との温度差≧５℃」に対応付けられた「リビングと浴室との温度差＜５℃（目標温度差）」をエアコンＡＣ１及び浴室乾燥機ＡＣ２の制御の目標として決定する。
【０１１７】
また、ステップＳ３において在宅者の体調レベルが「３」であると評価され、ステップＳ２１において算出された温度差が５℃未満であったとする。この場合、制御部１４は、図１１に示す表において、体調レベル「３」及び環境「リビングと浴室の温度差＜５℃」に対応付けられたエアコン制御の目標「室内温度＝２１℃」、浴室乾燥機制御の目標「何もしない」を、エアコンＡＣ１の制御の目標、浴室乾燥機ＡＣ２の制御の目標として決定する。
【０１１８】
図１０に参照を戻す。そして、制御部１４は、ステップＳ２２で決定したエアコンＡＣ１の制御の目標に到達するように、エアコンＡＣ１の制御を行う（Ｓ２３）。また、制御部１４は、ステップＳ２２で決定した浴室乾燥機ＡＣ２の制御の目標に到達するように、浴室乾燥機ＡＣ２の制御を行う（Ｓ２３）。
【０１１９】
例えば、上述のように、ステップＳ３において在宅者の体調レベルが「０」であると評価されたため、ステップＳ２２において、エアコンＡＣ１の制御の目標が「室内温度＝２３℃」に決定され、浴室乾燥機ＡＣ２の制御の目標が「入浴３０分前にＯＮ」に決定されたとする。この場合、制御部１４は、エアコンＡＣ１の制御の目標「室内温度＝２３℃」に到達するようにエアコンＡＣ１の制御を行い、浴室乾燥機ＡＣ２の制御の目標「入浴３０分前にＯＮ」に到達するように浴室乾燥機ＡＣ２の制御を行う（Ｓ２３）。
【０１２０】
具体的には、制御部１４は、暖房運転時の室内の目標温度として「２３℃」を設定する指示をエアコンＡＣ１へ送信する。エアコンＡＣ１は、当該指示を受信すると室内の目標温度を「２３℃」に設定して暖房運転を行う。
【０１２１】
また、上記制御プログラムのインストール時には、例えば、在宅者が起床する予定の時間帯、外出する予定の時間帯、帰宅する予定の時間帯、入浴する予定の時間帯、就寝する予定の時間帯等、在宅者が行う行動毎に、当該行動を行う予定の時間帯（以下、行動予定時間帯）の初期値が記憶部３０に予め記憶されるようになっている。また、記憶部３０に記憶されている各行動予定時間帯は、不図示のシステム設定画面を用いて在宅者が更新（書き換え、変更）できるようになっている。
【０１２２】
そこで、制御部１４は、在宅者が入浴する予定の時間帯を記憶部３０から読み出し、暖房運転を、当該読み出した時間帯の開始時刻（以下、入浴開始予定時刻）の３０分前の時刻に開始する指示を、浴室乾燥機ＡＣ２へ送信する。浴室乾燥機ＡＣ２は、当該指示を受信すると、当該入浴開始予定時刻の３０分前の時刻に暖房運転を開始する設定（所謂タイマー設定）を行う。
【０１２３】
また、上述のように、在宅者の体調レベルが「３」であると評価され、ステップＳ２１で算出された温度差が５℃以上であったため、ステップＳ２２において、エアコンＡＣ１及び浴室乾燥機ＡＣ２の制御の目標が「リビングと浴室との温度差＜５℃」に決定されたとする。この場合、制御部１４は、エアコンＡＣ１及び浴室乾燥機ＡＣ２の制御の目標「リビングと浴室との温度差＜５℃」に到達するようにエアコンＡＣ１及び浴室乾燥機ＡＣ２の制御を行う（Ｓ２３）。
【０１２４】
具体的には、制御部１４は、暖房運転時の室内の目標温度として「２１℃」を設定する指示をエアコンＡＣ１へ送信する。エアコンＡＣ１は、当該指示を受信すると室内の目標温度を「２１℃」に設定して暖房運転を行う。一方、制御部１４は、浴室乾燥機ＡＣ２の暖房運転を、上記入浴開始予定時刻の３０分前に開始する指示を浴室乾燥機ＡＣ２へ送信する。浴室乾燥機ＡＣ２は、当該指示を受信すると、上記入浴開始予定時刻の３０分前に暖房運転を開始する設定を行う。
【０１２５】
また、上述のように、在宅者の体調レベルが「３」であると評価され、ステップＳ２１で算出された温度差が５℃未満であったとする。このため、ステップＳ２２において、エアコンＡＣ１の制御の目標が「室内温度＝２１℃」に決定され、浴室乾燥機ＡＣ２の制御の目標が「何もしない」に決定されたとする。この場合、制御部１４は、エアコンＡＣ１の制御の目標が「室内温度＝２１℃」に到達するようにエアコンＡＣ１の制御を行い、浴室乾燥機ＡＣ２の制御の目標「何もしない」に到達するように浴室乾燥機ＡＣ２の制御を行う。
【０１２６】
具体的には、制御部１４は、暖房運転時の室内の目標温度として「２１℃」を設定する指示をエアコンＡＣ１へ送信する。エアコンＡＣ１は、当該指示を受信すると室内の目標温度を「２１℃」に設定して暖房運転を行う。一方、制御部１４は、浴室乾燥機ＡＣ２へは何ら指示を送信しない。つまり、制御部１４は、浴室乾燥機ＡＣ２の制御を行わない。
【０１２７】
ステップＳ２３の後は、ステップＳ２４が行われる。ステップＳ２４では、先ず、第二取得部１２が、最も直近に記憶部３０に記憶したリビングＲ１内及び浴室Ｒ２内の室内温度をリビングＲ１内及び浴室Ｒ２内の現在の環境を表す環境情報として取得する。そして、制御部１４は、第二取得部１２がリビングＲ１内及び浴室Ｒ２内の現在の環境を表す環境情報として取得したリビングＲ１内の室内温度と浴室Ｒ２内の室内温度との温度差を算出する。そして、制御部１４は、ステップＳ２３で行った各制御が、ステップＳ２２で決定した各制御の目標に到達しているか否かを判定する（Ｓ２４）。
【０１２８】
例えば、上述のように、制御部１４が、ステップＳ２３において、エアコンＡＣ１の制御の目標「室内温度＝２３℃」に到達するようにエアコンＡＣ１の制御を行ったとする。この場合、制御部１４は、ステップＳ２４において、第二取得部１２が取得した現在のリビングＲ１内の室内温度が２３℃に到達していれば、エアコンＡＣ１の制御が目標に到達したと判定し、２３℃に到達していなければ、エアコンＡＣ１の制御が目標に到達していないと判定する。
【０１２９】
また、上述のように、制御部１４が、ステップＳ２３において、浴室乾燥機ＡＣ２の制御の目標「入浴３０分前にＯＮ」に到達するように浴室乾燥機ＡＣ２の制御を行ったとする。この場合、制御部１４は、ステップＳ２４において、上記タイマー回路が計時した現在時刻が、上記入浴開始予定時刻の３０分前の時刻よりも前の時刻であるときは、浴室乾燥機ＡＣ２の制御が目標に到達していないと判定する。また、制御部１４は、現在時刻が上記入浴開始予定時刻の３０分前の時刻以降の時刻であるときは、浴室乾燥機ＡＣ２が暖房運転を行っていれば、浴室乾燥機ＡＣ２の制御が目標に到達していると判定し、浴室乾燥機ＡＣ２が暖房運転を行っていなければ、浴室乾燥機ＡＣ２の制御が目標に到達していないと判定する。
【０１３０】
また、上述のように、ステップＳ２２において、浴室乾燥機ＡＣ２の制御の目標が「何もしない」に決定され、制御部１４が、ステップＳ２３において、浴室乾燥機ＡＣ２の制御を行わなかったとする。この場合、制御部１４は、浴室乾燥機ＡＣ２の制御を何も行っていないので、ステップＳ２４において、浴室乾燥機ＡＣ２の制御の目標「何もしない」に到達していると判定する。
【０１３１】
また、上述のように、制御部１４が、ステップＳ２３において、エアコンＡＣ１及び浴室乾燥機ＡＣ２の制御の目標「リビングと浴室との温度差＜５℃」に到達するようにエアコンＡＣ１及び浴室乾燥機ＡＣ２の制御を行ったとする。この場合、制御部１４は、ステップＳ２４において、第二取得部１２がリビングＲ１内及び浴室Ｒ２内の現在の環境を表す環境情報として取得した、リビングＲ１内の室内温度と浴室Ｒ２内の室内温度との温度差を算出する。そして、制御部１４は、当該算出した温度差が５℃未満であるか否かを判定する。
【０１３２】
制御部１４は、ステップＳ２４において、ステップＳ２３で行った制御のうちの少なくとも一つが、ステップＳ２２で決定した制御の目標に到達していないと判定した場合（Ｓ２４；ＮＯ）、ステップＳ２２以降の処理を繰り返す。尚、制御部１４は、ステップＳ２４の後に行うステップＳ２２では、ステップＳ２１で算出した温度差に代えて、当該ステップＳ２２の直前に行ったステップＳ２４で算出した温度差を用いて、エアコンＡＣ１及び浴室乾燥機ＡＣ２の制御の目標を決定する。
【０１３３】
その後、制御部１４は、ステップＳ２４において、ステップＳ２３で行った制御の全てがステップＳ２２で決定した制御の目標に到達したと判定した場合（Ｓ２４；ＹＥＳ）、処理を終了する。
【０１３４】
（１）上記実施形態の構成によれば、第二取得部１２が取得した環境情報が表す住宅内外の環境だけでなく、第一取得部１１が取得したバイタル情報に基づく在宅者の体調の評価結果にも基づいて、住宅内の各電気機器が制御される。このため、住宅内外の環境のみに基づいて各電気機器を制御する場合よりも、在宅者個別の体調に適応するように住宅内の各電気機器を制御することができる。
【０１３５】
（２）上記実施形態の構成によれば、報知部１５によって、在宅者個別の体調及び住宅内外の環境に基づいて健康アドバイス情報が在宅者に報知される。このため、住宅内外の環境のみに基づいて健康アドバイス情報を報知する場合よりも、在宅者個別の体調に適応した健康アドバイス情報を在宅者に報知することができる。これにより、在宅者は、健康アドバイス情報が表す、在宅者個別の体調及び住宅内外の環境に適応した、自身の体調を向上させるための行動を行い易くなる。
【０１３６】
（３）上記実施形態の構成によれば、制御部１４がエアコンＡＣ１を制御するときの制御指標として、リビングＲ１室内の室内温度及び相対湿度に基づいて算出されたリビングＲ１内の暑さ指数が用いられる。
【０１３７】
このため、例えば、日本生気象学会により公表されている、熱中症の注意喚起が必要なときの暑さ指数を参考にして、リビングＲ１内の暑さ指数の目標値を熱中症の注意喚起が必要ではないときの暑さ指数に定め、リビングＲ１内の暑さ指数が当該目標値になるようにエアコンＡＣ１を制御することができる。この場合、リビングＲ１内にいる在宅者が熱中症になるリスクを軽減することができる。
【０１３８】
このように、上記実施形態の構成によれば、リビングＲ１内にいる在宅者の体調が悪化するリスクをリビングＲ１室内の暑さ指数に応じて適切に軽減することができる。
【０１３９】
（４）上記実施形態の構成によれば、リビングＲ１内の暑さ指数が、評価部１３による評価結果が表す在宅者の体調及びリビングＲ１内の暑さ指数が表すリビングＲ１の環境に適応した目標暑さ指数になるように、リビングＲ１内の空気を調和することができる。これにより、リビングＲ１内にいる在宅者の体調が悪化するリスクを軽減することができる。
【０１４０】
（５）上記実施形態の構成によれば、リビングＲ１内の室内温度が、目標暑さ指数に対応付けられた複数の組み合わせのうち、第二取得部１２が取得したリビングＲ１内の相対湿度を含む組み合わせに含まれるリビングＲ１内の室内温度となるように、エアコンＡＣ１が制御される。このため、リビングＲ１内の相対湿度を一定に維持しながら、リビングＲ１内の暑さ指数が目標暑さ指数になるようにエアコンＡＣ１を制御することができる。
【０１４１】
（６）上記実施形態の構成によれば、制御部１４がエアコンＡＣ１及び浴室乾燥機ＡＣ２を制御するときの制御指標として、リビングＲ１内の室内温度と浴室Ｒ２内の室内温度との温度差が用いられる。
【０１４２】
このため、例えば、上記温度差の目標値を、ヒートショックになるリスクが少ないと考えられるときの温度差に定めることができる。そして、上記温度差が当該目標値よりも小さくなるように、エアコンＡＣ１及び浴室乾燥機ＡＣ２を制御することができる。この場合、リビングＲ１内（浴室Ｒ２内）から浴室Ｒ２内（リビングＲ１内）に移動した在宅者が、ヒートショックになるリスクを軽減することができる。
【０１４３】
このように、本構成によれば、リビングＲ１内（浴室Ｒ２内）から浴室Ｒ２内（リビングＲ１内）に移動した在宅者の体調が悪化するリスクを、リビングＲ１内の室内温度と浴室Ｒ２内の室内温度との温度差に応じて適切に軽減することができる。
【０１４４】
（７）上記実施形態の構成によれば、リビングＲ１内の室内温度と浴室Ｒ２内の室内温度との温度差が、評価部１３による評価結果が示す在宅者の体調並びに前記温度差が示すリビングＲ１室内の室内温度と浴室Ｒ２内の室内温度との温度差に適応した目標温度差未満になるように、リビングＲ１内及び浴室Ｒ２内の空気を調和することができる。これにより、リビングＲ１内（浴室Ｒ２内）から浴室Ｒ２内（リビングＲ１内）に移動した在宅者の体調が、リビングＲ１内の室内温度と浴室Ｒ２内の室内温度との温度差が原因で悪化するリスクを軽減することができる。
【０１４５】
尚、上記実施形態は、本発明に係る実施形態の例示に過ぎず、本発明を上記実施形態に限定する趣旨ではない。例えば、図２、３、６に示す各画面の画面構成や、図４、５、９、１１に示す各表の内容を設計事項として適宜変更してもよい。また、浴室Ｒ２内と同様に、トイレ内にも温度センサー及び湿度センサーを備えるようにしてもよい。そして、制御部１４が、評価部１３による評価結果及び第二取得部１２が取得したトイレ内の室内温度及び相対湿度に基づいて、当該トイレ内に配置された便座を加温する加温装置を、トイレ内の空気を暖める空気調和装置として、浴室乾燥機ＡＣ２と同様に制御するようにしてもよい。また、以下に示す変形実施形態であってもよい。
【０１４６】
（１）操作表示部４０は、Ｗｉ−ＦｉやＢｌｕｅｔｏｏｔｈ等の無線通信規格に従って無線通信可能なタブレット端末やスマートフォン等、制御装置１とは別の装置で構成してもよい。そして、当該操作部４０と本体制御部１０との間で、上記制御バスを用いた通信に代えて、インターフェイス部２０を介して無線通信を行うようにしてもよい。
【０１４７】
（２）第二取得部１２による住宅内の環境を表す環境情報の取得方法は、上記実施形態で説明した方法に限らない。例えば、第二取得部１２は、外気温を取得する場合と同様、住宅内の環境を表す環境情報の入力欄が設けられた入力画面を表示部４１に表示してもよい。そして、第二取得部１２は、当該入力画面において在宅者がソフトキーのタッチ操作によって入力した住宅内の環境を表す環境情報を取得してもよい。
【０１４８】
また、インターフェイス部２０に、ＬＡＮやインターネット等に接続された住宅内外のパソコンやサーバーとの間で、イーサネット（登録商標）規格に従って通信を行う通信インターフェイス回路を備えるようにしてもよい。これに合わせて、第二取得部１２が、インターフェイス部２０を制御して、インターネットに接続された気象情報提供会社のサーバーへアクセスし、住宅外の天気を表す情報を取得するようにしてもよい。
【０１４９】
（３）上記実施形態では、制御部１４は、ステップＳ５において判定した季節に応じて、ステップＳ６以降を実行するか、ステップＳ２１以降を実行するかを切り替えることで、季節に応じて各電気機器の制御内容を変更していた。しかし、制御部１４は、ステップＳ５を省略し、季節によらずに、ステップＳ６以降の処理及びステップＳ２１以降の処理を実行するようにしてもよい。
【０１５０】
また、制御部１４が、現在時刻が記憶部３０に記憶されているどの行動予定時間帯に含まれているかに基づいて、各電気機器の制御の内容を変更するようにしてもよい。
【０１５１】
例えば、ステップＳ３において在宅者の体調レベルが「３」であると評価され、ステップＳ２１において、第二取得部１２が取得した環境情報に基づいて算出された温度差が５℃以上であったとする。この場合、上述のように、制御部１４は、ステップＳ２２において、図１１に示す表を用いて「リビングと浴室との温度差＜５℃」をエアコンＡＣ１及び浴室乾燥機ＡＣ２の制御の目標として決定する。しかし、制御部１４は、現在時刻が記憶部３０に記憶されている入浴する予定の時間帯に含まれない場合には、エアコンＡＣ１及び浴室乾燥機ＡＣ２の制御の目標を「何もしない」に変更するようにしてもよい。
【０１５２】
この場合、更に、在宅者が現在行おうとしている行動に適応するように、住宅内の各電気機器を制御することができる。
【０１５３】
（４）報知部１５は、健康アドバイス情報を報知する場合に、更に、第一取得部１１が現在時刻以前の時刻と対応付けて記憶部３０に記憶した各バイタル情報を時系列に並べたグラフを表示部４１に表示する等して、第一取得部１１が現在までに取得したバイタル情報を取得順に報知するようにしてもよい。
【０１５４】
この場合、第一取得部１１が現在までに取得したバイタル情報が取得順に報知されるので、在宅者は、自身のバイタル情報の変化に気付き易くなる。その結果、在宅者は、自身の体調の変化に気付き易くなる。
【０１５５】
（５）本体制御部１０が報知部１５として動作しないようにし、ステップＳ４を省略するようにしてもよい。
【符号の説明】
【０１５６】
１  制御装置
１１  第一取得部
１２  第二取得部
１３  評価部
１４  制御部
１５  報知部
３０  記憶部
１００  住宅内機器制御システム
Ａ１〜Ａ６  健康アドバイス情報
ＡＣ１  エアコン（電気機器、第一空気調和装置）
ＡＣ２  浴室乾燥機（電気機器、第二空気調和装置）
Ｒ１  リビング
Ｒ２  浴室
【図１】
2017042275.tif 000003
【図２】
2017042275.tif 000004
【図３】
2017042275.tif 000005
【図４】
2017042275.tif 000006
【図５】
2017042275.tif 000007
【図６】
2017042275.tif 000008
【図７】
2017042275.tif 000009
【図８】
2017042275.tif 000010
【図９】
2017042275.tif 000011
【図１０】
2017042275.tif 000012
【図１１】
2017042275.tif 000013